(57)【要約】      （修正有）【課題】建物に配設された配管の漏水を検査する満水試験用治具から漏水が発生した場合でも、配管用継手からの漏水を防止することが可能な継手用カバーを提供する。【解決手段】上側縦配管１０２と連通可能な上側開口部１１０、下側縦配管１０４と連通可能な下側開口部１１２、並びに、上側開口部を閉塞するための満水試験用治具１３０を内部に挿入可能な挿入開口部１１４を有する配管用継手１００に取り付けられる継手用カバー１である。継手用カバーは、上側開口部が閉塞された状態の配管用継手の挿入開口部に、シール部材１１を介して固定ボルト３０により取り付けられ、挿入開口部を閉塞可能に、また継手内部を視認可能に構成されている。【選択図】図４
0003196963.tif 000002
【実用新案登録請求の範囲】
【請求項１】
上側縦配管と連通可能な上側開口部、下側縦配管と連通可能な下側開口部、並びに、前記上側開口部を閉塞するための満水試験用治具を内部に挿入可能な挿入開口部を有する配管用継手に取り付けられる継手用カバーであって、
前記満水試験用治具が内部に収容され、該満水試験用治具によって前記上側開口部が閉塞された状態の前記配管用継手の前記挿入開口部に取り付けられることにより、該挿入開口部を閉塞可能に構成されている
ことを特徴とする継手用カバー。
【請求項２】
前記挿入開口部を閉塞可能に構成されたカバー本体を備え、
前記カバー本体の少なくとも一部は、前記配管用継手の前記挿入開口部に取り付けられた状態で前記配管用継手の内部を視認可能な透明性を有する
ことを特徴とする請求項１に記載の継手用カバー。
【請求項３】
前記カバー本体に設けられ、該カバー本体を貫通する流路を有する排水部をさらに備え、
前記排水部は、前記流路の開放状態と遮断状態とを切替可能な切替手段を有する
ことを特徴とする請求項２に記載の継手用カバー。
【請求項４】
前記カバー本体を前記配管用継手の前記挿入開口部に固定するための複数の固定部材をさらに備え、
前記カバー本体は、前記固定部材の取り付け位置を前記配管用継手の前記挿入開口部の大きさに応じて調整可能に構成されている
ことを特徴とする請求項２又は３に記載の継手用カバー。
【考案の詳細な説明】
【技術分野】
【０００１】
本考案は、建物に配設された配管の漏水を検査する満水試験時に用いられる継手用カバーに関するものである。
【背景技術】
【０００２】
従来、建物に配設された配管の漏水を検査するために、配管工事の一部又は全部が完了した後に、満水試験が行われている。満水試験とは、建物の各階層又は数階層毎に配管を堰き止め、試験対象となる配管を満水状態とすることにより、漏水の有無を検査する試験である。この満水試験では、従来、配管を堰き止めるために、配管用継手及び満水試験用治具が用いられている（特許文献１及び２）。
【０００３】
従来の配管用継手１００は、図５〜図７に示すように、上下方向に沿って配設された上側縦配管１０２と下側縦配管１０４との間に設置される配管用の継手部材である。配管用継手１００は、上側縦配管１０２と連通する上側開口部１１０及び下側縦配管１０４と連通する下側開口部１１２を有する略円筒形状に形成されており、その側面に、満水試験用治具１３０を内部に挿入するための挿入開口部１１４が形成されている。配管用継手１００の挿入開口部１１４は、満水試験時以外の通常時には、図５及び図６に示すように、蓋体１２０によって閉塞される。この蓋体１２０は、挿入開口部１１４を閉塞可能な蓋部１２２と、継手本体１１０内において管路を形成可能な管部１２４とを備えており、満水試験時以外の通常時においてのみ、配管用継手１００にシール部材１１１を介して取り付けられ、満水試験時には、配管用継手１００から取り外されるものである。
【０００４】
従来の満水試験用治具１３０は、図７に示すように、配管用継手１００の上側開口部１１０を閉塞可能な閉塞蓋部１３２と、配管用継手１００の下側開口部１１２の縁部上に載置可能な土台部１３４と、これら閉塞蓋部１３２及び土台部１３４を間隔調整可能に連結する連結部１３６とを備えている。閉塞蓋部１３２及び連結部１３６には、上側縦配管１０２内の水を連結部１３６の排水口１３８から排出可能な流路が形成されており、連結部１３６には、該流路の開放状態と遮断状態とを切替可能な開閉レバー１４０が設けられている。この満水試験用治具１３０は、満水試験時においてのみ、配管用継手１００に取り付けられ、満水試験時以外の通常時には、配管用継手１００から取り外されるものである。
【０００５】
従来の満水試験では、まず、上側縦配管１０２と下側縦配管１０４との間に設置された配管用継手１００から蓋体１２０を取り外した状態で、配管用継手１００内に満水試験用治具１３０を設置し、閉塞蓋部１３２によって配管用継手１００の上側開口部１１０を閉塞する。次に、上側縦配管１０２内を水で満たし、上側縦配管１０２内の水の水位を確認する。また、所定時間経過後に、上側縦配管１０２内の水の水位を再度確認する。そして、これら確認した２度の水位に変化がなければ、漏水がないと判断し、水位に変化があれば、漏水があると判断する。
【０００６】
一方、満水試験時以外の通常時には、配管用継手１００から満水試験用治具１３０を取り外した状態で、配管用継手１００に蓋体１２０を取り付ける。これにより、配管用継手１００の挿入開口部１１４が閉塞されると共に、配管用継手１００内に上側縦配管１０２から下側縦配管１０４に連通する管路が形成されるため、配管用継手１００は、配管の一部として機能する。
【先行技術文献】
【特許文献】
【０００７】
【特許文献１】特開平１０−３１７４４８号公報
【特許文献２】特開２０００−８０６９２号公報
【考案の概要】
【考案が解決しようとする課題】
【０００８】
しかしながら、従来の配管用継手１００は、満水試験時に蓋体１２０が取り外され、満水試験用治具１３０の閉塞蓋部１３２のみによって上側縦配管１０２内に供給された水を止水するものである。このため、例えば、満水試験用治具１３０の位置ズレや、満水試験用治具１３０の閉塞蓋部１３２に配されたシール部材１３２ａの摩耗又は経年劣化等や、シール部材１３２ａに対する異物の付着等によって、閉塞蓋部１３２と上側開口部１１０との間に隙間等の密着不良部位が生じ、この密着不良部位から漏水が発生するおそれがある。
【０００９】
このような漏水が発生した場合には、配管用継手１００の挿入開口部１１４から水が排出されてしまい、設置現場が水浸しとなるため、設置現場の財産等に損害を与えるおそれがあるという問題がある。また、設置現場が水浸しとなることを防ぐために、配管用継手１００の設置箇所近傍をブルーシート等で養生することが考えられるが、このような養生作業には、多くの作業時間、作業労力及び経費を要するという問題がある。
【００１０】
そこで、本考案は、満水試験用治具から漏水が発生した場合であっても、配管用継手からの漏水を防止することが可能な継手用カバーを提供することを目的とする。
【課題を解決するための手段】
【００１１】
上記の目的を達成するため、本考案に係る継手用カバーは、上側縦配管と連通可能な上側開口部、下側縦配管と連通可能な下側開口部、並びに、前記上側開口部を閉塞するための満水試験用治具を内部に挿入可能な挿入開口部を有する配管用継手に取り付けられる継手用カバーであって、前記満水試験用治具が内部に収容され、該満水試験用治具によって前記上側開口部が閉塞された状態の前記配管用継手の前記挿入開口部に取り付けられることにより、該挿入開口部を閉塞可能に構成されていることを特徴とする。
【００１２】
本考案に係る継手用カバーは、前記挿入開口部を閉塞可能に構成されたカバー本体を備えるとしても良く、前記カバー本体の少なくとも一部は、前記配管用継手の前記挿入開口部に取り付けられた状態で前記配管用継手の内部を視認可能な透明性を有することが好ましい。
【００１３】
また、本考案に係る継手用カバーは、前記カバー本体に設けられ、該カバー本体を貫通する流路を有する排水部をさらに備えるとしても良く、前記排水部は、前記流路の開放状態と遮断状態とを切替可能な切替手段を有することが好ましい。
【００１４】
さらに、本考案に係る継手用カバーは、前記カバー本体を前記配管用継手の前記挿入開口部に固定するための複数の固定部材をさらに備えるとしても良く、前記カバー本体は、前記固定部材の取り付け位置を前記配管用継手の前記挿入開口部の大きさに応じて調整可能に構成されることが好ましい。
【考案の効果】
【００１５】
本考案によれば、満水試験用治具から漏水が発生した場合であっても、配管用継手からの漏水を防止することが可能な継手用カバーを提供することができる。
【図面の簡単な説明】
【００１６】
【図１】本考案の一実施形態に係る継手用カバーを配管用継手及び満水試験用治具と共に示す斜視図である。
【図２】本実施形態に係る継手用カバーの概略構成を示す正面図である。
【図３】図２のＡ−Ａ´線に沿った断面図である。
【図４】本実施形態に係る継手用カバーの使用状態を示す断面図である。
【図５】従来の配管用継手及び蓋体の概略構成を示す斜視図である。
【図６】従来の配管用継手及び蓋体の概略構成を示す断面図である。
【図７】従来の配管用継手及び満水試験用治具の概略構成を示す断面図である。
【考案を実施するための形態】
【００１７】
次に、本考案の一実施形態に係る継手用カバーについて、図面に基づいて説明する。
【００１８】
本実施形態に係る継手用カバー１は、図１に示すように、満水試験時に、満水試験用治具１３０が設置された状態の配管用継手１００に取り付けて使用される蓋部材である。なお、本実施形態に係る継手用カバー１と共に用いられる配管用継手及び満水試験用治具は、上述した従来の配管用継手１００及び満水試験用治具１３０を用いることができるため、同一符号を付することにより、既に説明した内容と重複する内容については詳細な説明を省略する。
【００１９】
配管用継手１００は、図１及び図４〜図７に示すように、上下方向に沿って配設された上側縦配管１０２と下側縦配管１０４との間に設置される配管用の継手部材である。この配管用継手１００は、上側縦配管１０２と連通可能な上側開口部１１０と、下側縦配管１０４と連通可能な下側開口部１１２と、上側開口部１１０及び下側開口部１１２を閉塞するための満水試験用治具１３０を内部に挿入可能な挿入開口部１１４とを有する略円筒形状に形成されている。上側開口部１１０は、上側縦配管１０２の下端部が挿入可能に構成されており、下側開口部１１２は、下側縦配管１０４の上端部が挿入可能に構成されている。
【００２０】
配管用継手１００の内壁には、図４に示すように、径方向内側に突出するフランジ状の上部取付座１１７ａが挿入開口部１１４の上端部の高さ位置に形成され、径方向内側に突出するフランジ状の下部取付座１１７ｂが挿入開口部１１４の下端部の高さ位置に形成されている。これら上部取付座１１７ａ及び下部取付座１１７ｂの突出縁部の口径は、上側縦配管１０２及び下側縦配管１０４の内径と略同径となるよう構成されている。この下部取付座１１７ｂは、配管用継手１００の内部に満水試験用治具１３０を載置させるための座部となり、上部取付座１１７ａは、満水試験用治具１３０の閉塞蓋部１３２が圧接される座部となるよう構成されている。すなわち、これら上部取付座１１７ａと下部取付座１１７ｂとの間の空間が、満水試験用治具１３０が収容される治具収容空間１１６となるよう構成されている。
【００２１】
配管用継手１００の挿入開口部１１４の周縁部１１８には、図１に示すように、蓋体１２０を固定ボルト３０で固定するためのボルト孔１１９ａ〜１１９ｄが、周縁部１１８の四隅、すなわち、右上隅部、右下隅部、左上隅部及び左下隅部にそれぞれ形成されている。
【００２２】
満水試験用治具１３０は、図４及び図７に示すように、配管用継手１００の上部取付座１１７ａに圧接されることにより上側開口部１１０を液密に閉塞可能な閉塞蓋部１３２と、配管用継手１００の下部取付座１１７ｂ上に載置可能な土台部１３４と、これら閉塞蓋部１３２及び土台部１３４を連結する連結部１３６とを備えている。
【００２３】
閉塞蓋部１３２及び土台部１３４は、それぞれ、上部取付座１１７ａ及び下部取付座１１７ｂの突出縁部の口径よりも大きい外径を有する金属製の円盤部材から形成されている。閉塞蓋部１３２の上面には、液密性を確保するためのシール部材１３２ａが配されている。また、これら閉塞蓋部１３２及び土台部１３４は、配管用継手１００の治具収容空間１１６に収容された状態において、連結部１３６により互いに離間する方向に移動することにより、上部取付座１１７ａ及び下部取付座１１７ｂにそれぞれ圧接され、これにより、上側開口部１１０を液密に閉塞すると共に、下側開口部１１２を液密又は非液密に閉塞するよう構成されている。
【００２４】
連結部１３６は、ナット部１３７をレンチ等の工具を用いて回動させることにより、その軸方向長さが変化するよう構成されており、これにより、閉塞蓋部１３２及び土台部１３４を互いに離間する方向又は接近する方向に移動させることが可能に構成されている。また、連結部１３６には、上側縦配管１０２内の水を排出可能な排水口（排水用ニップル）１３８が形成され、閉塞蓋部１３２及び連結部１３６には、上側縦配管１０２と排水口１３８とを連通可能な流路（排水路）が形成され、連結部１３６には、該流路を開閉させるための弁体（図示せず）を操作するための開閉レバー１４０が設けられている。
【００２５】
継手用カバー１は、図１〜図３に示すように、配管用継手１００の挿入開口部１１４を閉塞可能に構成されたカバー本体１０と、カバー本体１０に設けられ、カバー本体１０を貫通する流路（図示せず）を有する排水部２０と、カバー本体１０の四隅を配管用継手１００の挿入開口部１１４の周縁部１１８に固定するための複数の固定ボルト（固定部材）３０とを備えている。この継手用カバー１は、図４に示すように、満水試験用治具１３０によって上側開口部１１０及び下側開口部１１２が閉塞された状態の配管用継手１００の挿入開口部１１４に、挿入開口部１１４の周囲に配されるシール部材１１を介して取り付けられることにより、配管用継手１００の内部を密閉可能に構成されている。
【００２６】
以下、継手用カバー１の具体的な構成について、説明する。なお、固定ボルト３０は、ねじ切りされたシャフト部と、シャフト部よりも径が大きいヘッド部とを有する種々の公知のボルト部材を用いることができるため、その説明を省略する。また、シール部材１１は、配管用継手１００の挿入開口部１１４の周縁部１１８と継手用カバー１との間の液密性を確保可能なものであれば、種々の公知のシール部材を用いることができるため、その説明を省略する。
【００２７】
カバー本体１０は、図２及び図３に示すように、透明な板部材からなる透明板部１２と、透明板部１２の上端縁部近傍に設けられた上側補強板部１４と、透明板部１２の下端縁部近傍に設けられた下側補強板部１６とを備えている。
【００２８】
透明板部１２は、アクリル製板部材等の全体が透明な板部材又はこの板部材を複数枚積層させた透明な積層板部材であり、図２に示すように、矩形状に形成されている。透明板部１２は、配管用継手１００の挿入開口部１１４を閉塞可能な大きさを有している。ここで、配管用継手１００は、例えば管路径が１００ｍｍ程度のものや、１２５ｍｍ程度のもの及び１５０ｍｍ程度のもの等の様々な種類があり、配管用継手１００の種類に応じて、挿入開口部１１４の水平方向の幅寸法が異なっている。本実施形態に係る透明板部１２は、想定される最も大きい配管用継手１００の挿入開口部１１４、例えば、管路径が１５０ｍｍ程度の配管用継手１００の挿入開口部１１４を閉塞可能な大きさを有している。なお、本実施形態において、透明とは、透明板部１２を介して配管用継手１００の内部を視認可能な程度の透明性を有することをいうものとする。
【００２９】
上側補強板部１４及び下側補強板部１６は、図２及び図３に示すように、それぞれ、長尺な金属板部材の長手方向の両側縁部１４ｂ，１４ｃ，１６ｂ，１６ｃを互いに平行となるよう直角に屈曲させた形状、すなわち、長手方向と直交する方向の断面がコ字状となるよう形成された金属製の板部材から構成されている。これら上側補強板部１４及び下側補強板部１６は、図２に示すように、透明板部１２の幅方向（図２中、左右方向）の長さと概ね同じ長さ又はやや短い長さを有している。これら上側補強板部１４及び下側補強板部１６は、その長手方向が透明板部１２の長手方向と並行となり、かつ、その長手方向の両端部が透明板部１２の長手方向の両端部と一致するよう、そのベース部１４ａ，１６ａの背面（両側縁部１４ｂ，１４ｃ，１６ｂ，１６ｃが折り曲げられる方向とは逆方向側の面）が透明板部１２の表面（配管用継手１００に取り付けられた際に正面を向く側の面）上に取り付けられている。これら上側補強板部１４及び下側補強板部１６は、漏水時の水圧によって透明板部１２が破損又は変形しないよう補強する機能を有している。
【００３０】
カバー本体１０は、図１及び図２に示すように、長手方向の一方側に、配管用継手１００の種類に依らず共通して使用される右側貫通孔１７が上下一対形成されており、長手方向の他方側に、配管用継手１００の種類に応じて適宜選択して使用される複数の左側貫通孔１８ａ〜１８ｃが上下一対形成されている。これら右側貫通孔１７及び左側貫通孔１８ａ〜１８ｃは、固定ボルト３０のシャフト部が挿通可能で、かつ、固定ボルト３０のヘッド部の通過を規制可能な径を有する貫通孔であり、透明板部１２の上側補強板部１４が設けられた領域と、透明板部１２の下側補強板部１６が設けられた領域との双方にそれぞれ形成されている。
【００３１】
透明板部１２の上側補強板部１４が設けられた領域に形成された右側貫通孔１７は、配管用継手１００の挿入開口部１１４の周縁部１１８の右上隅部に形成されたボルト孔１１９ａに対応し、透明板部１２の下側補強板部１６が設けられた領域に形成された右側貫通孔１７は、配管用継手１００の挿入開口部１１４の周縁部１１８の右下隅部に形成されたボルト孔１１９ｂに対応するものである。これら上下一対の右側貫通孔１７は、配管用継手１００の種類に依らず、継手用カバー１を配管用継手１００の挿入開口部１１４に固定ボルト３０を用いて取り付ける際に、使用される貫通孔（ボルト孔）である。
【００３２】
左側貫通孔１８ａ〜１８ｃは、カバー本体１０の長手方向に沿って所定の間隔をおいて整列された複数の貫通孔、本実施形態では、第１左側貫通孔１８ａ，第２左側貫通孔１８ｂ及び第３左側貫通孔１８ｃから構成されている。これら複数の左側貫通孔１８ａ〜１８ｃは、継手用カバー１を配管用継手１００の挿入開口部１１４に固定ボルト３０を用いて取り付ける際に、配管用継手１００の種類に応じて、当該種類の挿入開口部１１４の大きさに適合する貫通孔（第１左側貫通孔１８ａ，第２左側貫通孔１８ｂ及び第３左側貫通孔１８ｃのいずれか１つ）が選択され、使用されるものである。これら左側貫通孔１８ａ〜１８ｃの数は、想定される挿入開口部１１４の水平方向の幅寸法の種類数と同数とすることができる。
【００３３】
第１左側貫通孔１８ａは、左側貫通孔１８ａ〜１８ｃのうち、右側貫通孔１７に対して長手方向に最も近い位置に形成された貫通孔である。すなわち、本実施形態における第１左側貫通孔１８ａは、継手用カバー１の取付対象となる配管用継手１００が、想定される挿入開口部１１４の水平方向の幅寸法の種類のうち、最も小さい幅寸法を有するもの（例えば、管路径が１００ｍｍ程度の配管用継手１００）である場合に使用される貫通孔（ボルト孔）である。具体的には、透明板部１２の上側補強板部１４が設けられた領域に形成された第１左側貫通孔１８ａは、比較的小型の配管用継手１００における、挿入開口部１１４の周縁部１１８の左上隅部に形成されたボルト孔１１９ｃに対応し、透明板部１２の下側補強板部１６が設けられた領域に形成された第１左側貫通孔１８ａは、比較的小型の配管用継手１００における、挿入開口部１１４の周縁部１１８の左下隅部に形成されたボルト孔１１９ｄに対応するものである。
【００３４】
第２左側貫通孔１８ｂは、第１左側貫通孔１８ａよりも右側貫通孔１７に対して長手方向に離れた位置に形成された貫通孔である。すなわち、本実施形態における第２左側貫通孔１８ｂは、継手用カバー１の取付対象となる配管用継手１００が、想定される挿入開口部１１４の水平方向の幅寸法の種類のうち、中程度の幅寸法を有するもの（例えば、管路径が１２５ｍｍ程度の配管用継手１００）である場合に使用される貫通孔（ボルト孔）である。具体的には、透明板部１２の上側補強板部１４が設けられた領域に形成された第２左側貫通孔１８ｂは、比較的中型の配管用継手１００における、挿入開口部１１４の周縁部１１８の左上隅部に形成されたボルト孔１１９ｃに対応し、透明板部１２の下側補強板部１６が設けられた領域に形成された第２左側貫通孔１８ｂは、比較的中型の配管用継手１００における、挿入開口部１１４の周縁部１１８の左下隅部に形成されたボルト孔１１９ｄに対応するものである。
【００３５】
第３左側貫通孔１８ｃは、左側貫通孔１８ａ〜１８ｃのうち、右側貫通孔１７に対して長手方向に最も離れた位置に形成された貫通孔である。すなわち、本実施形態における第３左側貫通孔１８ｃは、継手用カバー１の取付対象となる配管用継手１００が、想定される挿入開口部１１４の水平方向の幅寸法の種類のうち、最も大きい幅寸法を有するもの（例えば、管路径が１５０ｍｍ程度の配管用継手１００）である場合に使用される貫通孔（ボルト孔）である。具体的には、透明板部１２の上側補強板部１４が設けられた領域に形成された第３左側貫通孔１８ｃは、比較的大型の配管用継手１００における、挿入開口部１１４の周縁部１１８の左上隅部に形成されたボルト孔１１９ｃに対応し、透明板部１２の下側補強板部１６が設けられた領域に形成された第３左側貫通孔１８ｃは、比較的大型の配管用継手１００における、挿入開口部１１４の周縁部１１８の左下隅部に形成されたボルト孔１１９ｄに対応するものである。
【００３６】
排水部２０は、図１〜図３に示すように、透明板部１２を貫通して設けられた排出管部２２と、排出管部２２に埋設された弁体（図示せず）と、弁体の開放状態及び遮断状態を切り替えるための開閉レバー２４とを備え、満水試験用治具１３０から配管用継手１００の内部（治具収容空間１１６）に漏れ出た水を外部に排出可能に構成されている。なお、弁体及び開閉レバー２４は、排出管部２２の流路の開放状態と遮断状態とを切り替え可能な適宜の切替手段であれば良く、種々の公知のものを用いることができるため、その説明を省略する。
【００３７】
排出管部２２は、略円筒状に形成された金属製の筒部材であり、一端が透明板部１２の正面側（図３中、右側）に突出し、他端が透明板部１２の背面側（図３中、左側）に突出するように透明板部１２を貫通して配され、その長手方向の中途部が透明板部１２に固定されている。すなわち、排出管部２２は、継手用カバー１が配管用継手１００に取り付けられた際に、配管用継手１００の内部（治具収容空間１１６）と外部とを連通可能な流路を形成するよう構成されている。透明板部１２の正面側に延在する流路には、弁体が設けられており、該弁体を開閉レバー２４により操作することにより、流路の開放状態と遮断状態とが切り替えられるよう構成されている。この排出管部２２は、透明板部１２の上下方向の中間部よりも下方側の位置、好ましくは、継手用カバー１が配管用継手１００に取り付けられた際に、挿入開口部１１４の下端部の高さ位置よりもやや上方に位置することとなる位置に、設けられている。
【００３８】
以上の構成を備える継手用カバー１は、上下方向に沿って配設される上側縦配管１０２と下側縦配管１０４との間に設置される配管用継手１００の内部に満水試験用治具１３０が挿入され、満水試験用治具１３０によって上側縦配管１０２から下側縦配管１０４に至る管路が閉塞された状態で実施される満水試験において、配管用継手１００の挿入開口部１１４に取り付けて使用されるものである。
【００３９】
具体的には、本実施形態に係る継手用カバー１を用いて行う満水試験方法は、まず、上側縦配管１０２と下側縦配管１０４との間に設置された配管用継手１００から蓋体１２０を取り外した状態で、配管用継手１００内に満水試験用治具１３０を設置し、閉塞蓋部１３２によって配管用継手１００の上側開口部１１０を閉塞すると共に、土台部１３４によって配管用継手１００の下側開口部１１２を閉塞する。
【００４０】
次に、この状態の配管用継手１００に、挿入開口部１１４が閉塞されるように、固定ボルト３０によってシール部材１１を介して継手用カバー１を取り付ける。この際、取付対象となる配管用継手１００の挿入開口部１１４の大きさに応じて、第１〜第３左側貫通孔１８ａ〜１８ｃのうちから１つを選択し、固定ボルト３０を取り付ける。また、排出管部２２の流路が遮断状態となるよう、排水部２０の開閉レバー２４を操作する。このように、満水試験用治具１３０の閉塞蓋部１３２及び土台部１３４によって配管用継手１００の上側開口部１１０及び下側開口部１１２が閉塞され、継手用カバー１によって配管用継手１００の挿入開口部１１４が閉塞されることにより、配管用継手１００の内部空間（治具収容空間１１６）が密閉される。
【００４１】
次に、上側縦配管１０２内を水で満たし、上側縦配管１０２内の水の水位を確認する。また、所定時間経過後に、上側縦配管１０２内の水の水位を再度確認する。そして、これら確認した２度の水位に変化がなければ、漏水がないと判断し、水位に変化があれば、漏水があると判断する。
【００４２】
また、この満水試験の過程において、図４に示すように、閉塞蓋部１３２と上側開口部１１０との間の密着不良部位から漏水が発生し、配管用継手１００の内部（密閉された治具収容空間１１６）に水が溜まった場合には、配管用継手１００の内部からの排水処理を実施する。具体的には、排出管部２２に排水用のホース１４２を接続し、該排水用のホース１４２の排出口を安全に排水可能な箇所に導いた上で、排水部２０の開閉レバー２４を操作し、排出管部２２の流路を開放状態にする。これにより、配管用継手１００の内部に溜まった水を安全に排水することができる。
【００４３】
満水試験が終了した後は、図７に示すように、配管用継手１００から継手用カバー１を取り外し、満水試験用治具１３０の排水口（排水用ニップル）に排水用のホース１４２を接続し、該排水用のホース１４２の排出口を安全に排水可能な箇所に導いた上で、満水試験用治具１３０の開閉レバー１４０を操作し、満水試験用治具１３０の流路を開放状態にする。これにより、上側縦配管１０２内に溜まった水を安全に排水することができる。
【００４４】
そして、満水試験及び排水処理が終了した後は、配管用継手１００から満水試験用治具１３０を取り外した状態で、配管用継手１００に蓋体１２０を取り付ける。これにより、配管用継手１００の挿入開口部１１４が閉塞されると共に、配管用継手１００内に上側縦配管１０２から下側縦配管１０４に連通する管路が形成されるため、配管用継手１００は、配管の一部として機能する。
【００４５】
以上のように、本実施形態に係る継手用カバー１は、上側縦配管１０２と連通可能な上側開口部１１０、下側縦配管１０４と連通可能な下側開口部１１２、並びに、少なくとも上側開口部１１０を閉塞するための満水試験用治具１３０を内部に挿入可能な挿入開口部１１４を有する配管用継手１００に取り付けられる継手用カバー１であって、満水試験用治具１３０が内部に収容され、この満水試験用治具１３０によって少なくとも上側開口部１１０が閉塞された状態の配管用継手１１０の挿入開口部１１４に取り付けられることにより、挿入開口部１１４を閉塞可能に構成されている。
【００４６】
このような継手用カバー１によれば、仮に、満水試験用治具１３０の閉塞蓋部１３２と配管用継手１００の上側開口部１１０との間に隙間等の密着不良部位が生じ、この密着不良部位から漏水が発生したとしても、配管用継手１００の挿入開口部１１４が継手用カバー１によって液密に閉塞されているため、配管用継手１００からの漏水を防止することができる。これにより、設置現場が水浸しとなることがないため、設置現場の財産等に損害を与えることを防止することができる。また、継手用カバー１を配管用継手１００の挿入開口部１１４に取り付けるという簡単な作業のみによって、配管用継手１００からの漏水を防止することができるため、作業時間、作業労力及び経費を抑えることができる。さらに、本実施形態に係る継手用カバー１は、既存の配管用継手１００に取り付け可能であることから、既存の設備を変更することなく、本実施形態に係る継手用カバー１を追加するのみで漏水防止効果を発揮することが可能であるため、導入コストを抑えることができる。
【００４７】
また、本実施形態に係る継手用カバー１は、挿入開口部１１４を閉塞可能に構成されたカバー本体１０を備え、このカバー本体１０の少なくとも一部（本実施形態では、上側補強板部１４及び下側補強板部１６を除くカバー本体１０の略全体）が、配管用継手１００の挿入開口部１１４に取り付けられた状態で配管用継手１００の内部を視認可能な透明性を有している。このため、本実施形態に係る継手用カバー１によれば、カバー本体１０の少なくとも一部を透明にするという簡単な構成のみによって、配管用継手１００内の漏水状況を視覚的に確認することが可能となる。
【００４８】
さらに、本実施形態に係る継手用カバー１は、カバー本体１０に設けられ、カバー本体１０を貫通する流路を有する排水部２０をさらに備え、この排水部２０は、流路の開放状態と遮断状態とを切替可能な切替手段（弁体及び開閉レバー２４）を有している。このため、本実施形態に係る継手用カバー１によれば、密着不良部位からの漏水によって配管用継手１００の内部に水が溜まった場合であっても、配管用継手１００の内部の水を排水部２０を介して排出することが可能となる。
【００４９】
さらに、本実施形態に係る継手用カバー１は、カバー本体１０が、固定ボルト（固定部材）３０の取り付け位置を配管用継手１００の挿入開口部１１４の大きさに応じて調整可能に構成されているため、様々な種類の配管用継手１００に対応することができる。
【００５０】
本考案に係る継手用カバーは、上述した実施形態に限定されるものではなく、本考案の技術思想を逸脱しない範囲内において種々の改変を行なうことができる。
【００５１】
例えば、上述の実施形態では、継手用カバー１が、カバー本体１０、排水部２０及び複数の固定ボルト３０を備えるものとして説明したが、これに限定されず、満水試験用治具１３０が内部に収容され、この満水試験用治具１３０によって上側開口部１１０が閉塞された状態の配管用継手１００の挿入開口部１１４に取り付けられることにより、挿入開口部１１４を閉塞可能に構成されたものであれば、いかなる構成を備えるものであっても良い。
【００５２】
また、上述の実施形態では、カバー本体１０が、全体が透明な透明板部１２と、透明板部１２を補強する上側補強板部１４及び下側補強板部１６とを備え、上側補強板部１４及び下側補強板部１６を除くカバー本体１０の略全体が透明性を有するものとして説明したが、これに限定されるものではない。例えば、カバー本体１０は、金属製板部材等の透明性を有さない部材から形成され、その一部に窓部を形成することにより、配管用継手１００の内部を視認可能な構成としても良い。また、例えば配管用継手１００の内部における漏水を検知した際に報知する報知手段や、配管用継手１００の内部の水位を検知して表示する表示手段等が設けられる場合には、カバー本体１０の全体が透明性を有さない構成としても良い。なお、これら報知手段や表示手段が設けられる場合には、例えば、作業者が保持する携帯端末等に漏水発生情報を送信する送信手段をさらに備えるとしても良い。
【００５３】
さらに、上述の実施形態では、カバー本体１０に排水部２０が設けられ、この排水部２０が、流路の開放状態と遮断状態とを切替可能な切替手段（弁体及び開閉レバー２４）を有するものとして説明したが、これに限定されるものではない。例えば、排水部２０の排出口に排水用のホース等が常時接続される場合等、安全な排水状況が確保されている場合には、切替手段が設けられない構成としても良い。また、密着不良部位から配管用継手１００の内部に漏れ出た水が満水試験用治具１３０の土台部１３４を介して下側縦配管１０４に流出可能である場合には、カバー本体１０に排水部２０が設けられない構成としても良い。
【００５４】
またさらに、上述の実施形態では、カバー本体１０に固定ボルト３０を取り付けるための貫通孔を複数形成することにより、配管用継手１００の挿入開口部１１４の大きさに応じて固定ボルト３０の取り付け位置を調整可能に構成するものとして説明したが、これに限定されるものではない。例えば、カバー本体１０に形成される右側貫通孔及び左側貫通孔の少なくとも一方を、カバー本体１０の長手方向に沿って延びる長孔状に形成することにより、配管用継手１００の挿入開口部１１４の大きさに応じて固定ボルト３０の取り付け位置を調整可能に構成するものとしても良い。
【００５５】
また、本発明に係る継手用カバーが取り付けられる配管用継手及び該配管用継手に用いられる満水試験用治具は、上述した配管用継手１００及び満水試験用治具１３０に限定されるものではない。
【００５６】
すなわち、配管用継手は、上側縦配管１０２と連通可能な上側開口部１１０、下側縦配管１０４と連通可能な下側開口部１１２、並びに、上側開口部１１０を閉塞するための満水試験用治具１３０を内部に挿入可能な挿入開口部１１４を有するものであれば、いかなる構成を備えるものであっても良い。
【００５７】
また、満水試験用治具は、配管用継手の内部に収容され、配管用継手の内部から配管用継手の上側開口部を閉塞可能なものであれば、いかなる構成を備えるものであっても良い。例えば、上述した実施形態では、連結部１３６に設けられた排水口（排水用ニップル）１３８から排水するよう構成された満水試験用治具１３０を例示したが、これに限定されるものではなく、満水試験用治具は、例えば閉塞蓋部１３２、連結部１３６及び土台部１３４に亘って貫通する流路が形成され、該流路を介して上側縦配管１０２内の水を下側縦配管１０４に排水可能なものを用いても良い。また、上述した実施形態では、満水試験用治具１３０の土台部１３４が、金属製の円盤部材から形成され、配管用継手１００の下側開口部１１２を閉塞可能に構成されるものとして説明したが、これに限定されるものではなく、土台部１３４は、土台として機能可能であれば種々の形状を採用することができ、配管用継手１００の下側開口部１１２を閉塞するものでなくても良い。
【符号の説明】
【００５８】
１  継手用カバー、１０  カバー本体、２０  排水部、１００  配管用継手、１０２  上側縦配管、１０４  下側縦配管、１１０  上側開口部、１１２  下側開口部、１１４  挿入開口部、１３０  満水試験用治具
【図１】
0003196963.tif 000003
【図２】
0003196963.tif 000004
【図３】
0003196963.tif 000005
【図４】
0003196963.tif 000006
【図５】
0003196963.tif 000007
【図６】
0003196963.tif 000008
【図７】
0003196963.tif 000009